(57)【要約】      （修正有）【課題】自然の風を受けて回転するだけでなく、常に不規則な動きをすることにより長期間に渡ってもカラス等の鳥類の警戒心を減退させることなく、農作物、果樹への被害を防止する鳥飛来防止回転体を提供する。【解決手段】鳥飛来防止回転体の回転体１を使用して、回転体の表面の比較的平らな面４及び曲面を形成する５面に厚さ０．１ｍｍ以下の複数のアルミ箔を接着し、その回転中心Oと鳥飛来防止回転体本体の最外周の点A,B及びC点を結ぶ距離が２０〜５０ｃｍの範囲となる大きさとし、羽根枚数を２枚もしくは３枚に限定し、大気中にて設置されるため耐候性、風圧による強度に対する耐久性を得るため羽根部材の厚みを０．３〜１．０ｍｍとする。【選択図】図１
0003180809.tif 000002
【実用新案登録請求の範囲】
【請求項１】
2枚もしくは3枚の羽根を有する鳥飛来防止回転体であって、各々の羽根の表面の凸表面や凹表面及び平面上に複数のアルミ薄片もしくは反射物質薄片を接着したことを特長とした鳥飛来防止回転体。
【請求項２】
請求項１に記載する鳥飛来防止回転体であって、その回転中心と鳥飛来防止回転体本体の最外周の点を結ぶ距離が２０〜５０ｃｍの範囲にあることを特徴とする鳥飛来防止回転体。
【請求項３】
請求項１に記載する鳥飛来防止回転体であって、各々の羽根の表面の凸表面や凹表面及び平面上に接着した複数のアルミ薄片もしくは反射物質薄片の厚さはアルミ箔等と接着剤の厚さを合わせて０．１ｍｍ以下であることを特徴とする鳥飛来防止回転体。
【請求項４】
請求項１に記載する鳥飛来防止回転体であって、構成する羽根材料の厚さは０．３〜１．０ｍｍの範囲にあることを特徴とする鳥飛来防止回転体。
【考案の詳細な説明】
【技術分野】
【０００１】
本考案は、大気中に露出した回転可能な羽根の表面にアルミ箔等を複数個取り付け、太陽光等を選択的に受けて乱反射させ、田畑、果樹園、ごみ集積所等に飛来し、カラス、ヒヨドリ、ムクドリ、スズメ、オナガ等の鳥類がその反射光を受けたり、認識したりすることにより当該場所に近寄らず、農作物や果実の被害を免れるための設置が簡単で簡易構造の回転体に関する。
【背景技術】
【０００２】
従来、日本古来から親しまれてきた折り紙等のジャンルに属する鳥飛来防止回転体は、自然の風の力を受けて回転するため、回転体そのものに色彩性や創作的な形状等の創意工夫が施されて人々に楽しまれてきた歴史がある。一方、カラス等の鳥類の被害を防止するため、ステンレス鋼材を用いて不規則に動くようにして長期間使用しても鳥類が慣れ難く、光を乱反射する効果が少なくなり難い構成にした鳥害防止装置がある。（例えば、特許文献４参照。）
【先行技術文献】
【特許文献】
【０００３】
【特許文献４】特開２０１０−２５２８１９号公報
【考案の概要】
【考案が解決しようとする課題】
【０００４】
鳥飛来防止回転体が回転する動力源は自然の風に求められ、回転体そのものに色彩性や創作的な形状等の創意工夫が施されて人々に楽しまれるために利用されてきた。時には、田畑等に設置し鳥類飛来を防止する目的で使用されることはあったが、カラス等は学習能力が高く、すぐに慣れてそのような効果は無くなるという問題があった。
【０００５】
そこで本考案は、鳥飛来防止回転体等の回転体の装飾物において、その羽根の表面に太陽光線を乱反射させるために、複数個の太陽光線反射物薄片を特に羽根車の回転体の凸面部に接着、圧着し、低回転あるいは高回転においても太陽光線を不規則に乱反射させることにより、風速、太陽光線の方向、位置によって常に反射光の方向、強さ等が一定ではなく、刻々変わる状況を作り出すことによりカラス等の学習能力を混乱させ、カラス等の飛来を防止し農作物の被害を免れることを目的とする。
【課題を解決するための手段】
【０００６】
上記目的を達するために、本考案は、任意数の羽根を有する鳥飛来防止回転体の羽根の表面、特に凸面部に任意数の円形もしくは矩形のアルミ箔を接着した、簡素な構成である。また、本鳥飛来防止回転体は創造的なカラス等の鳥類が恐怖感を持つ形状にし、また、羽根の色彩は赤、青、黄、緑、黒、白等を単独で、あるいは組み合わせて、田畑、果樹園等に複数個設置することができる。また、本考案は鳥飛来防止回転体に応用しているが、モータ等で駆動される回転体に適用することも可能である。
【考案の効果】
【０００７】
本鳥飛来防止回転体は、自然の風がなく静止している時、複数枚の羽根の凸表面や凹表面及び平面上に接着した複数のアルミ薄片に対する太陽光線の入射角がことなっており、その太陽光線の入射角に等しい反射角でもって光を反射している。即ち、複数のアルミ薄片の位置に応じて反射方向が相違することになる。この反射方向は日中の、朝日が昇って日が沈むまでの太陽の位置によって、また春夏秋冬の地球の地軸の傾き角によっても微妙に光の反射方向が違うようになる。ましてや、鳥飛来防止回転体が静止した状態から自然の風の力を受けて回転すると、当該複数のそれぞれのアルミ薄片に対する太陽光線からの反射方向は目まぐるしく変化し、風車自身は光の乱反射の回転体と化す。この回転中に太陽光線とアルミ箔の薄片が正対もしくは正対に近い位置にある時は鋭く光を反射することになる。このように、本発明の鳥飛来防止回転体が回転を始めると複数枚の羽根の凸表面や凹表面及び平面上に接着した複数のアルミ薄片の中で太陽光線を受ける位置にあるアルミ薄片の反射光線はそれぞれ方向を違え、強弱を違えて反射光を散乱させる。1日の間にも、春夏秋冬においてもそれは刻々変わっていく。鳥飛来防止回転体を回転させる風速がない場合でもその羽根が揺れるだけで反射光は微妙に変化するのである。以上から、1日単位においても、春夏秋冬どの季節においても刻々と変わる変化によって、カラス等の学習能力を失わしめ、効率よく、合理的に、簡単な装置でもってカラス等の襲来を防止することができる。
【図面の簡単な説明】
【０００８】
【図１】本考案に係る、３枚の羽根を持ち、それぞれの羽根の凸表面や凹表面及び平面上に複数のアルミ薄片を接着した状態を示す鳥飛来防止回転体の一例図である。
【考案を実施するための形態】
【０００９】
本考案に基づく実施の形態について添付した図面に基づき説明する。本考案に係る鳥飛来防止回転体は、１は羽根形状を表し3枚の羽根を有した例である。各々の羽根の４は比較的平面形状であり、５は凸面で曲面の形状を有している。羽根1の材料は合成樹脂が使用され、羽根厚は０．３〜１．０ｍｍのものが使用される。羽根厚が０．３ｍｍ以下では大気中にて設置されるため耐候性、風圧による強度に対する耐久性に難があるためである。
【００１０】
２は本鳥飛来防止回転体の回転軸を示す。３は各々の羽根の凸表面や凹表面及び平面上に接着された複数のアルミ薄片を示す。アルミ薄片は図1に示された面だけでなく裏の面にも複数枚が接着される。また、アルミ箔の形状は本図では円形を提示しているが正方形や長方形でもよい。接着されたアルミ箔の厚さはアルミ箔と接着剤の厚さを合わせて０．１ｍｍ以下にする必要がある。これ以上の厚さになると、抗力係数が増しカットイン風速が大きくなるからである。カットイン風速とは鳥飛来防止回転体が回転開始する風速を云う。
【００１１】
図１において、点Xは鳥飛来防止回転体の回転中心、3枚の羽根の頂点をそれぞれA,B,C点とすると距離XA=XB=XC＝ｄの関係がある。このｄ値が大きくなると鳥飛来防止回転体の最外周の周速ｖに対する風速Vの割合は小さくなっていく。すなわち、風速Vが一定の時はこのｄ値が大きくなると鳥飛来防止回転体の回転数は少なくなっていくという関係がある。このことは、鳥飛来防止回転体の回転数ができるだけ少ないほうが太陽光線のアルミ箔による反射光線はゆっくりと乱反射し、カラス等の鳥類にはその反射光線を認識し易くなることを意味する。従って、このｄ値は２０〜５０ｃｍの範囲が望ましいことが実験において確かめられている。
【００１２】
鳥飛来防止回転体が複数の羽根を有し、静止状態で回転軸直角面に投影させた時、その投影面積をaとすると羽根枚数が少ない方が通常、その投影面積は小さくなる。一方、自然の風を受けてその鳥飛来防止回転体が回転する時、図１において、鳥飛来防止回転体はOを中心にして最外周の点A、B、及びCの回転軌跡の半径は前項を受けてｄ値であるから、回転軸直角面に投影させた時、その投影面積は２ｄπである。風車工学上、この比＝a/（2dπ）が小さいほど、同じ風速において、鳥飛来防止回転体の回転数は小さくなる。実験結果から、羽根の枚数は２から3枚の時の鳥飛来防止回転体の回転数が適切となり、太陽光線のアルミ箔による反射光線はゆっくりと乱反射し、カラス等の鳥類にはその反射光線を認識し易くなる。
【符号の説明】
【００１３】
１  鳥飛来防止回転体
２  回転軸
３  アルミ箔
４  回転体の比較的平らな面
５  回転体の凸面
【図１】
0003180809.tif 000003